【事件の表示】
　平成１０年特許願第２１９５７１号「コンバインの穀稈穂先側搬送装置」拒絶査定に対する審判事件［平成１１年４月６日出願公開、特開平１１−８９３９３］について、次のとおり審決する。
【結　論】
　本件審判の請求は、成り立たない。
【理　由】
１．手続きの経緯・本願発明
　本願は、平成１年９月１４日に出願された実願昭１−１０７９８８号の一部を平成８年１２月５日に新たな実用新案登録出願（実願平８−１３０４０号）とし、さらにこの実用新案登録出願を平成１０年７月１６日に特許出願に変更したものであって、その請求項１に係る発明（以下、「本願発明」という）は、平成１２年１２月１日付け手続補正書で補正された明細書及び図面の記載からみて、本願の特許請求の範囲の請求項１に記載されたとおりの、
　「刈取部（Ａ）は、前方に斜設した４個の引起しケース（８）の後方下部に刈刃を横設し、該刈刃の上方には４個の掻込輪（９）を並設して４条刈りができるようにし、かつ、タイン（１）（２）がそれぞれ突出して穀稈の穂先側を搬送することができる長い右側上部搬送体（３）と短い左側上部搬送体（４）を刈取部（Ａ）の上方に上面視Ｙ字状に配備して構成するコンバインにおいて、合流する部位（Ｘ）より後方側から終端側にかけての前記右側上部搬送体（４）の後部の横側方には、前記タイン（１）の突出長さ（L1）に相当する通路幅が形成されるようにガイド杆（13）を架設して構成するとともに、
左側上部搬送体（４）と合流する部位（Ｘ）より前方側となる右側上部搬送体（３）の前部と右側ガイド杆（５）との間の通路幅（W1）が、合流する部位（Ｘ）より後方側となる右側上部搬送体（３）のタイン（L1）の長さより狭くなり、
かつ、前記通路幅（W1）が前記合流部位（Ｘ）より前方側となる左側上部搬送体（４）と左側ガイド杆（６）との間の通路幅（W2）と略同じとなるように、
前記両ガイド杆（５）（６）は上面視Ｖ字状に形成し、右側ガイド杆（５）を前記右側上部搬送体（３）のタイン（１）に重ねて架設して構成したことを特徴とする穀稈穂先側搬送装置。」
である。
　
２．当審の判断
２-1．引用例記載の発明
　原査定の拒絶の理由に引用された、実願昭５７−１１６８７３号（実開昭５９−２１８４２号）のマイクロフイルム（以下、「第１引用例」という）及び実願昭５６−３８４１２号（実開昭５７−１５４９３３号）のマイクロフイルム（以下、「第２引用例」という）には、次の事項が記載されている。
　第１引用例
　「刈取部(４)は、・・・分草具(５)，(５)・・、・・・植立穀稈を引起す四つの引起し装置(６)・・，・・・バリカン型刈取装置(７)、・・・穀稈合流搬送装置(８)，・・・搬送供給装置（９）を備えている。
　前記穀稈合流搬送装置(８)は、・・・補助搬送ベルト対(10，10)，(10，10)と、刈取穀稈の株元側を前記両搬送経路(Ａ)，(Ａ′)の搬送始端部に掻込む回転パッカー対(11，11)，(11，11)とを設けるとともに、・・・刈取穀稈の穂先側を爪(13a)，(13a′）で係止して両搬送経路(Ａ)，(Ａ′)に沿って搬送する係止搬送チェーン(13A)，(13A′）と、両搬送経路(Ａ)，(Ａ′)の外側夫々において搬送穀稈穂先側の移動を案内する穂先案内カバー(14)，(14′）及び、前記係止搬送チェーン(13A)，(13A′）の上下両側に位置して搬送穀稈の爪(13a)，(13a′）・・からの離脱を阻止するガイド杆対(15a，15b），(15a′，15b′）とを設けて、構成されている。」（４頁１行〜５頁１２行）
　また、第３図には、係止搬送チェーン(13A)における合流部より後方には、右側ガイド杆が設けられており、その右側ガイド杆は爪(13a)の突出長さに相当する通路幅が形成されるように架設されているといえる（右側ガイド杆が係止搬送チェーン(13A)の爪(13a)より離れて架設されていると、爪(13a)によって搬送される穀稈が爪(13a)の先端から右側ガイド杆の方に逃げることになり、爪(13a)による良好な穀稈の搬送が行われない）。
　上記記載及び図面によると、第１引用例には、
　刈取部(４)は、前方に斜設した４個の引起し装置(６)の後方下部にバリカン型刈取装置(７)を横設し、該バリカン型刈取装置(７)の上方には回転パッカー対(11，11)(11，11)を並設して４条刈りができるようにし、かつ、爪(13a)，(13a′)がそれぞれ突出して穀稈の穂先側を搬送することができる長い右側の係止搬送チェーン(13A)と短い左側の係止搬送チェーン(13A′)を刈取部(４)の上方に上面視Ｙ字状に配備して構成するコンバインにおいて、合流する部位より後方側から終端側にかけての前記係止搬送チェーン(13A)の後部の横側方には、前記爪(13a)の突出長さに相当する通路幅が形成されるように右側ガイド杆を架設して構成するとともに、前記合流する部位より前方側における係止搬送チェーン(13A)のガイド杆（15b）と左側の係止搬送チェーン(13A′)のガイド杆（15b′）は上面視Ｖ字状に形成して構成した穀稈穂先側搬送装置（以下、「第１引用例発明」という）が記載されていると認められる。
　第２引用例
　「従来の穂先搬送装置においては、左右の搬送装置の穀稈取込み部から合流部までは、搬送穀稈が２条程度であって合流後よりも少ないにもかかわらず、ラグと穂先ガイドとで形成される搬送径路が広いために、搬送される穀稈が互に交差するように乱れ、搬送後の脱穀が適正に行なわれないという不具合があり、また、この箇所ではラグが速い周速度でチェーンケースの下端部を周回しかつチェーンケースから長く突出して揺動しながら走行するので、穀稈が振り回されたり振動を与えられたりして折損し易いという不具合があった。
　本考案は以上のような点に鑑みなされたもので、正面視逆Ｙ字状に配設した長短一対の穂先搬送装置のうちの長い方の搬送装置のチェーンケースを、穀稈取込み部から両搬送装置の合流部に至る間で膨出させてラグの突出長が短かくなるようにし、かつ短かい方の搬送装置のラグをこれに対応して短かく形成することにより、取込み部から合流部までの搬送径路を狭くして搬送穀稈の乱れを防止する」（３頁１行〜４頁１行）
２-2．対比・判断
　本願発明と引用例記載の発明とを比較すると、第１引用例発明の「引起し装置(６)」が本願発明の「引起しケース（８）」に相当し、同様に、「バリカン型刈取装置(７)」が「刈刃」に、「回転パッカー対(11，11)(11，11)」が「４個の掻込輪（９）」に、「爪(13a)，(13a′)」が「タイン（１）（２）」に、「係止搬送チェーン(13A)」が「右側上部搬送体（３）」に、「係止搬送チェーン(13A′)」が「左側上部搬送体（４）」に、「ガイド杆（15b）」が「右側ガイド杆（５）」に、「ガイド杆（15b′）」が「左側ガイド杆（６）」に、それぞれ相当しているから、両者は、
　刈取部は、前方に斜設した４個の引起しケースの後方下部に刈刃を横設し、該刈刃の上方には４個の掻込輪を並設して４条刈りができるようにし、かつ、タインがそれぞれ突出して穀稈の穂先側を搬送することができる長い右側上部搬送体と短い左側上部搬送体を刈取部の上方に上面視Ｙ字状に配備して構成するコンバインにおいて、合流する部位より後方側から終端側にかけての前記右側上部搬送体の後部の横側方には、前記タインの突出長さに相当する通路幅が形成されるようにガイド杆を架設して構成するとともに、左側上部搬送体と合流する部位より前方側となる右側上部搬送体の右側ガイド杆と左側ガイド杆は上面視Ｖ字状に形成して構成した穀稈穂先側搬送装置で一致し、
　本願発明では、「左側上部搬送体（４）と合流する部位（Ｘ）より前方側となる右側上部搬送体（３）の前部と右側ガイド杆（５）との間の通路幅（W1）が、合流する部位（Ｘ）より後方側となる右側上部搬送体（３）のタイン（L1）の長さより狭くなり、かつ、前記通路幅（W1）が前記合流部位（Ｘ）より前方側となる左側上部搬送体（４）と左側ガイド杆（６）との間の通路幅（W2）と略同じとなるように、」「右側ガイド杆（５）を前記右側上部搬送体（３）のタイン（１）に重ねて架設し」ているのに対し、第１引用例発明では、前記構成となっていない点で構成が相違する。
　上記相違点について検討する。
　第２引用例には、途中において短かい方の搬送装置と合流する、長い方の搬送装置において、搬送する穀稈量の少ない、合流する部位より前方側の通路幅を、搬送する穀稈量の多い、合流する部位より後方側の通路幅より狭くして穀稈の乱れを防止すること、すなわち、通路幅を搬送する穀稈量に応じた幅にして穀稈の乱れを防止する技術が開示されている。
　そうすると、第１引用例発明において、通路幅を搬送する穀稈量に応じた幅にして穀稈の乱れを防止するため、右側の係止搬送チェーン(13A)における、左側の係止搬送チェーン(13A′)との合流部より前方側の通路幅を、合流する部位より後方側の通路幅より狭くし、かつ、左側の係止搬送チェーン(13A′)とガイド杆（15b′）との間の通路幅と略同じとなるようにして本願発明のように構成することは、当業者が容易に想到できることである。
　そして、本願発明の奏する効果は、第１引用例及び第２引用例に記載された発明から予測できる程度のことであって格別のものではない。
　
３．むすび
　以上のとおり、本願発明は、第１引用例及び第２引用例に記載された発明に基いて当業者が容易に発明をすることができたものと認められるから、特許法第２９条第２項の規定により特許を受けることができない。
　よって、結論のとおり審決する。